(57)【要約】【課題】対話形ＤＶＤのような光ディスクのＡ／Ｖデータの再生前にＡ／Ｖデータと関連した多様なコンテンツ情報はもちろん最新コンテンツ情報を通信網を通して遠隔地のサーバーから提供受けて、これを利用してディスクに収録されたＡ／Ｖデータを再生出力する方法を提供する。【解決手段】本発明は、通信網を利用した対話形光ディスク再生方法に係り、対話形ＤＶＤのような光ディスクのＡ／Ｖデータと関連した多様なコンテンツ関連情報をインターネットを通して連結接続されたコンテンツ提供サーバーからダウンロードして装置内に格納して、対話形光ディスクから読み出して再生されるその格納された情報を利用して、Ａ／Ｖデータと、サーバーから受信されている新しいコンテンツ情報を同期させてプレゼンテーションすることにより、ディスクに収録された動映像視聴の楽しみを倍加させることができる。【選択図】  図３
2006340378.tif 000002
【特許請求の範囲】
【請求項１】
ネットワークからダウンロードされたコンテンツを記録する方法であって、
ダウンロードモードを示す情報を含み、コンテンツのプレゼンテーションを管理するナビゲーションデータを読み出すステップと、
前記情報に基づいて、ダウンロードモードが完全ダウンロードであるかストリーミングダウンロードであるかを判断するステップと、
ダウンロードされたコンテンツを記録するステップと
を有し、
このコンテンツを記録するステップは、
もしダウンロードモードが完全ダウンロードであるならば、そのコンテンツの再生を開始する前に、サーバからそのコンテンツを完全にダウンロードし、もしダウンロードモードがストリーミングダウンロードであるならば、ダウンロード中に前記コンテンツを記録しながら再生する
ことを特徴とする記録方法。
【請求項２】
前記ナビゲーションデータは、ディスクから読み出されることを特徴とする請求項１記載の記録方法。
【請求項３】
前記ナビゲーションデータは、前記ディスクが再生装置にセットされたときに前記
ディスクから読み出されることを特徴とする請求項２記載の記録方法。
【請求項４】
前記ディスクは、Ａ／Ｖデータの再生動作のために必要な情報ファイルを記憶し、
前記ナビゲーションデータは、前記情報ファイルから読み出されることを特徴とする請求項２又は３記載の記録方法。
【請求項５】
前記ナビゲーションデータに含まれる前記情報は、コンテンツごとにそのコンテンツのダウンロードモードを示すことを特徴とする請求項１乃至４のいずれかに記載の記録方法。
【請求項６】
前記ダウンロードされたコンテンツを記録するステップは、
もしダウンロードモードが完全ダウンロードであるならば、そのコンテンツの再生を開始する前に、サーバからそのコンテンツの必須的な部分をダウンロードして記憶し、残りの部分に対してはそのコンテンツの再生中にダウンロードすることを特徴とする請求項１乃至５のいずれか記載の記録方法。
【請求項７】
ネットワークからダウンロードされたコンテンツを再生する方法であって、
ダウンロードモードを示す情報を含み、コンテンツのプレゼンテーションを管理するナビゲーションデータを読み出すステップと、
前記情報に基づいて、ダウンロードモードが完全ダウンロードであるかストリーミングダウンロードであるかを判断するステップと、
ダウンロードされたコンテンツを再生するステップと
を有し、
このコンテンツを再生するステップは、
もしダウンロードモードが完全ダウンロードであるならば、サーバからコンテンツをダウンロードし、そのダウンロードされるコンテンツが完全にダウンロードされた後、そのダウンロードされたコンテンツを再生し、もしダウンロードモードがストリーミングダウンロードであるならば、ダウンロード中に前記コンテンツを再生する
ことを特徴とする再生方法。
【請求項８】
前記ナビゲーションデータは、ディスクから読み出されることを特徴とする請求項７記載の再生方法。
【請求項９】
前記ナビゲーションデータは、前記ディスクが再生装置にセットされたときに前記
ディスクから読み出されることを特徴とする請求項８記載の再生方法。
【請求項１０】
前記ディスクは、Ａ／Ｖデータの再生動作のために必要な情報ファイルを記憶し、
前記ナビゲーションデータは、前記情報ファイルから読み出されることを特徴とする請求項８又は９記載の再生方法。
【請求項１１】
前記ナビゲーションデータに含まれる前記情報は、コンテンツごとにそのコンテンツのダウンロードモードを示すことを特徴とする請求項７乃至１０のいずれかに記載の再生方法。
【請求項１２】
前記ダウンロードされたコンテンツを再生するステップは、
もしダウンロードモードが完全ダウンロードであるならば、そのコンテンツの再生を開始する前に、サーバからそのコンテンツの必須的な部分をダウンロードして記憶し、残りの部分に対してはそのコンテンツを再生しながらダウンロードすることを特徴とする請求項７乃至１１のいずれか記載の記録方法。
【請求項１３】
ネットワークからダウンロードされたコンテンツを記録・再生する装置であって、
ダウンロードモードを示す情報を含み、コンテンツのプレゼンテーションを管理するナビゲーションデータを読み出す手段と、
前記情報に基づいて、ダウンロードモードが完全ダウンロードであるかストリーミングダウンロードであるかを判断する手段と、
ダウンロードされたコンテンツを記録・再生する手段と
を備え、
このコンテンツを記録・再生する手段は、
もしダウンロードモードが完全ダウンロードであるならば、サーバからコンテンツをダウンロードし、そのダウンロードされるコンテンツが完全にダウンロードされた後、そのダウンロードされたコンテンツを再生し、もしダウンロードモードがストリーミングダウンロードであるならば、ダウンロード中に前記コンテンツを記録しながら再生する
ことを特徴とする記録・再生装置。
【請求項１４】
前記ナビゲーションデータを読み出す手段は、前記ナビゲーションデータをディスクから読み出すことを特徴とする請求項１３記載の記録・再生装置。
【請求項１５】
前記ナビゲーションデータを読み出す手段は、前記ディスクが再生装置にセットされたときに前記ナビゲーションデータを前記ディスクから読み出すことを特徴とする請求項１４記載の記録・再生装置。
【請求項１６】
前記ディスクは、Ａ／Ｖデータの再生動作のために必要な情報ファイルを記憶し、
前記ナビゲーションデータを読み出す手段は、前記ナビゲーションデータを前記情報ファイルから読み出すことを特徴とする請求項１４又は１５記載の記録・再生装置。
【請求項１７】
前記ナビゲーションデータに含まれる前記情報は、コンテンツごとにそのコンテンツのダウンロードモードを示し、
前記ダウンロードモードを判断する手段は、コンテンツごとにそのコンテンツのダウンロードモードを判断することを特徴とする請求項１３乃至１６のいずれかに記載の記録・再生装置。
【請求項１８】
前記コンテンツを再生する手段は、
もしダウンロードモードが完全ダウンロードであるならば、そのコンテンツの再生を開始する前に、サーバからそのコンテンツの必須的な部分をダウンロードして記憶し、残りの部分に対してはそのコンテンツを再生しながらダウンロードすることを特徴とする請求項１３乃至１７のいずれか記載の記録・再生方法。
【発明の詳細な説明】
【技術分野】
【０００１】
本発明は、対話形ＤＶＤ（Ｉ−ＤＶＤ：Interactive Digital Versatile Disc）のような光ディスクのＡ／Ｖデータと、通信網を通して連結接続されたコンテンツ提供（ＣＰ：Contents Provider）サーバーから提供される多様なコンテンツ情報を連係して再生出力する対話形光ディスクの再生方法、記録方法、記録・再生方法及び記録・再生装置に関する。
【背景技術】
【０００２】
現在、大容量のデジタルデータを記録することができる高密度光ディスク、例えばＤＶＤが広く普及している。ＤＶＤは、デジタル高音質のオーディオデータはもちろん高画質の動映像データを長時間記録することができる大容量記録媒体である。
【０００３】
ＤＶＤには、動映像データのようなデジタルデータストリームが記録される領域と、動映像データの再生制御のために必要なナビゲーションデータが記録されるナビゲーションデータ記録領域がある。
【０００４】
したがって、一般的なＤＶＤ再生装置では、ＤＶＤが装置内に装着されると、ナビゲーションデータ記録領域に記録されたナビゲーションデータをまず読み出して、装置内のメモリに格納した後、そのナビゲーションデータを利用して、前記データ記録領域に記録された動映像データを再生する。
【０００５】
それゆえ、ＤＶＤ再生装置によって、ＤＶＤに記録された長時間の高画質の動映像を再生して、それに収録された映画などを視聴できる。
【０００６】
最近には、ＤＶＤに収録されたＡ／Ｖデータの再生と関連した情報（制御または付加情報）を‘hｔｍｌ’などのフォーマットのファイルでＤＶＤ上に付加的に記録して、これによって、ユーザーのインタラックティブな要請によってＡ／Ｖデータを再生できるようにする対話形ＤＶＤ（Ｉ−ＤＶＤ）に対する具体化規格案が関連業体間で論議されている。このような対話形ＤＶＤが商用化されれば、デジタル記録媒体を通したコンテンツの普及がより一層活発になるであろう。
【０００７】
しかし、現在論議中である対話形ＤＶＤの暫定規格では、記録媒体に収録されたＡ／Ｖデータの再生と関連した情報ファイルが記録媒体と一緒に提供されるので、収録されたＡ／Ｖデータと関連したさらに新しい多様なコンテンツや新しい出力方法などを確認したり利用できない。対話形ＤＶＤの普及をより活発にするためには収録されたＡ／Ｖデータと一緒に既存のコンテンツや情報より新しいコンテンツや情報などを利用できる方法を確保することが必要である。
【発明の開示】
【発明が解決しようとする課題】
【０００８】
本発明は前記のような実情を勘案して創作されたものであり、対話形ＤＶＤのような光ディスクのＡ／Ｖデータと関連した多様なコンテンツ情報を、通信網を通して遠隔地のサーバーから提供受けて、これを利用してディスクに収録されたＡ／Ｖデータを再生出力する方法を提供することが目的である。
【課題を解決するための手段】
【０００９】
前記のような目的を達成するための本発明によるインターネットを利用した対話形光ディスク再生方法は、ディスク装置内に装着した光ディスクの類型が、対話形光ディスクであるかどうかを判別して、対話形ディスクならば、通信網を通して、コンテンツ提供サーバーからその対話形光ディスクのバージョンで収容することができる最新バージョンのコンテンツファイルとそのファイルに関連したファイルを受信し、その受信されたファイルを利用して、対話形光ディスクから読み出して再生するオーディオまたはビデオデータと、受信されたコンテンツファイルの情報を相互同期させてプレゼンテーションする３段階を備えていることを特徴とする。
【発明の効果】
【００１０】
以上のように構成及びなされる本発明によるインターネットを利用した対話形光ディスク再生方法は、ユーザーが常にディスクに収録されたＡ／Ｖデータと関連した最新のコンテンツを視聴できるようにするので、ディスクに収録された動映像をより楽しむことができるようになる。
【発明を実施するための最良の形態】
【００１１】
以下、本発明による通信網を利用した対話形光ディスク再生方法に対する望ましい実施形態に対して、添付された図面を参照しながら詳細に説明する。
【００１２】
図１は、本発明による通信網を利用した対話形光ディスク再生方法が適用される光ディスク装置に対する構成を図示したものである。光ディスク装置には、例えば対話形ＤＶＤ１０から読み出されるデータをデコーディングしてＡ／Ｖデータで出力するデコーダ１６と、デコーディングされたデジタルＡ／Ｖデータを処理してオーディオ及びビデオ信号として出力するためのプレゼンテーションエンジン１７を備えている。また本実施形態は、さらに対話形ＤＶＤ１０に記録された情報ファイル、セットアップファイル、そして同期用ファイルなどを検索読み出すためのファイルシステム１１と、インターネット検索機能を備えた対話形ディスクプレゼンテーション用環境設定のためのプログラムであるウェブブラウザ１２と、インターネット接続のためのインターネットインタフェース１３、そしてユーザーの要請によって、各構成手段を作動制御するための広い意味でのナビゲーター１４と、対話形ＤＶＤ１０から読み出されたり、またはインターネットを通してダウンロードされる各種ファイル及びコンテンツ情報を格納するためのストレージ１５をも備えている。ストレージ１５としてはフラッシュメモリなどを用いることができる。ナビゲーター１４とファイルシステム１１、そしてウェブブラウザ１２は、それに該当する固有の機能及び作動を実施するプログラムを論理的構成手段として各々表現したものであって、一つのハードウェア素子で実現させることができる。
【００１３】
対話形ＤＶＤ１０のディレクトリの構造は、図２に示したとおりである。ルートディレクトリには、対話形ＤＶＤに収録されたＡ／Ｖデータの再生動作のために必要な情報ファイル（ＥｎＤＶＤ．Ｉｎｆ）、再生のための初期セットアップ用ファイル（Ｉｎｄｅｘ．hｔｍｌ）、そして属性が異なったデータ間の同期のための同期ファイル（ｉｎｄｅｘ．ｓｙｎ）などを含んでいる。その下部ディレクトリには、ビデオデータを含むビデオタイトルセット（Ｖｉｄｅｏ＿ＴＳ）ディレクトリ、オーディオデータを含むオーディオタイトルセット（Ａｕｄｉｏ＿ＴＳ）ディレクトリ、そして附加的なビデオ／オーディオ機能のためのデータを含むファイル（hｔｍｌファイル、ｉｍａｇｅファイル、サウンドファイル等）を含むエンハンストビデオタイトルセット（ＥＮＶ＿ＴＳ：Enhanced Video_TS）ディレクトリが含まれる。
【００１４】
そして、ルートディレクトリに記録される‘ＥｎＤＶＤ．Ｉｎｆ’ファイルには、対話形ＤＶＤに対するディスクのバージョン情報と、コンテンツのバージョン情報、コンテンツ製造社情報、そして対話形ＤＶＤから読み出して再生されるＡ／Ｖデータと関連した多様なコンテンツ情報をインターネットを通して提供するコンテンツ提供サーバー（ＣＰ  Ｓｅｒｖｅｒ）に対するＵＲＬ（ＵＲＬ）情報を含めて記録される。
【００１５】
また、ルートディレクトリに記録されるセットアップ用ファイル‘Ｉｎｄｅｘ．hｔｍｌ’ファイルには、ウェブブラウザ１２及び対話形ＤＶＤ再生のための必須環境設定のためのセットアップ情報が含まれ、同期ファイル‘Ｉｎｄｅｘ．ｓｙｎ’ファイルには、対話形ＤＶＤ１０から読み出して再生されるオーディオ及びビデオデータ、そして前記コンテンツ情報、例えばhｔｍｌ形態のページを相互同期させて再生出力するための時間情報（タイムスタンプ）が記録されている。
【００１６】
エンハンストビデオタイトルセット（ＥＮＶ＿ＴＳ）ディレクトリには、対話形ＤＶＤに記録されたＡ／Ｖデータと連係再生または出力されるコンテンツ情報が記録されている。このコンテンツ情報は、hｔｍｌフォーマットのファイル、イメージファイル、そしてサウンドファイル等で構成できる。
【００１７】
図１の光ディスク装置に対話形ＤＶＤ１０が装着されると、ルートディレクトリに記録された情報ファイル‘ＥｎＤＶＤ．Ｉｎｆ’がまず検索されて、光ディスクの類型を対話形ＤＶＤと判別し、かつそのバージョンを確認した後、セットアップファイル‘Ｉｎｄｅｘ．ｈｔｍｌ’をローディングさせて、対話形ＤＶＤ再生に必要なブラウザ及びシステム環境を設定する。必要な場合、情報ファイル‘ＥｎＤＶＤ．Ｉｎｆ’に記録されたＵＲＬ情報を読み出す。
【００１８】
そして、前記ＵＲＬ情報に対応するコンテンツ提供サーバーとインターネットを通して連結接続した後、前記コンテンツ提供サーバーとのインタフェースを通して、前記確認された対話形ＤＶＤのディスクバージョンで収容することができる最新バージョンのセットアップファイル、及び／または同期ファイルを受信して、それに相応するシステム環境を再設定し、また前記対話形ＤＶＤのディスクバージョンと関連した最新のコンテンツファイルを前記サーバーから受信して格納する。
【００１９】
以後、同期ファイルに記録された時間情報に基づいて、コンテンツ提供サーバーから伝送受けた最新バージョンのコンテンツ情報を、対話形光ディスクから読み出して再生されるＡ／Ｖデータと同期させて再生出力する作動を実行する。以下、これに対して詳細に説明する。
【００２０】
図３は、本発明による通信網を利用した対話形光ディスク再生方法の一実施形態の作動流れ図を示したものであってこれを参照して図１の光ディスク装置の作動を説明する。
【００２１】
光ディスク装置内のナビゲーター１４は、装置内に光ディスクを装着すると（Ｓ１０）、ファイルシステム１１を駆動制御して、ルートディレクトリの‘ＥｎＤＶＤ．Ｉｎｆ’ファイルを検索することによって、光ディスクの類型が一般ＤＶＤであるのかまたは対話形ＤＶＤであるのかを確認判別する。検索されると、光ディスクの類型を対話形ＤＶＤと判別し、検索されないと一般ＤＶＤと判別する（Ｓ１１）。 
【００２２】
もしも、装着されたディスクが一般ＤＶＤの場合、ナビゲーター１４は、ユーザーの要請によって、一般ＤＶＤモードで再生動作を実施させる（Ｓ１２）、対話形ＤＶＤの場合には、ファイルシステム１１を作動制御して、ルートディレクトリに記録された‘Ｉｎｄｅｘ．hｔｍｌ’ファイルと‘Ｉｎｄｅｘ．ｓｙｎ’ファイルをストレージ１５にローディングさせる（Ｓ１３）。
【００２３】
そして、ローディングされた‘Ｉｎｄｅｘ．hｔｍｌ’ファイルを解析して、その解析された内容によってインターネット検索及びＡ／Ｖデータプレゼンテーション用フォーマットを設定するウェブブラウザ１２の変数とシステム環境を設定する（Ｓ１４）。このとき必要ならば、インタフェースを通してユーザーからの入力を受信する。
【００２４】
この設定の後には、ユーザーからインターネット接続が要求されるかどうかを確認する（Ｓ１５）。インターネット接続が要求されない場合には、設定されたシステム環境を維持した状態で、対話形ＤＶＤ１０のエンハンストビデオタイトルセット（ＥＮＶ＿ＴＳ）ディレクトリに記録されているコンテンツ情報を、同期ファイルである‘Ｉｎｄｅｘ．ｓｙｎ’の時間情報を参照して、再生Ａ／Ｖデータと一緒に同期させて再生出力するＲＯＭベース（ＲＯＭ−ｂａｓｅｄ）の再生動作を実施する（Ｓ１６）。
【００２５】
もし、ユーザーからインターネット接続が要求されると、すなわち対話形ＤＶＤ  １０に既に記録されたコンテンツ情報より新しい最新バージョンのコンテンツ情報を、インターネットを通してダウンロードして用いることをユーザーが選択指定する場合（Ｓ１５）、前記ナビゲーター１４は、ルートディレクトリに記録された‘ＥｎＤＶＤ．Ｉｎｆ’ファイルのＵＲＬ情報を読んで、ウェブブラウザ１２とインターネットインタフェース１３を駆動制御して、ＵＲＬ情報に対応するコンテンツ提供サーバーと連結接続する。
【００２６】
接続されると、‘ＥｎＤＶＤ．Ｉｎｆ’ファイルに記録されたディスクバージョン情報を前記コンテンツ提供サーバーに伝送すると同時に、そのディスクのバージョンで収容することができる最新コンテンツバージョンのセットアップファイルと同期ファイルを伝送することを要求する（Ｓ１７）。
【００２７】
コンテンツ提供サーバーは、ディスクバージョンに連係された最新のコンテンツバージョンの‘Ｉｎｄｅｘ．hｔｍｌ’ファイルと‘Ｉｎｄｅｘ．ｓｙｎ’ファイルを検索読み出して、インターネットを通して伝送する。
【００２８】
ファイルデータを受信する光ディスク装置のナビゲーター１４は、コンテンツ提供サーバーから受信される最新バージョンの‘Ｉｎｄｅｘ．hｔｍｌ’ファイルを解析して、Ａ／Ｖデータ再生に必要なシステム環境を再設定して、Ｉｎｄｅｘ．ｓｙｎファイルをストレージ１６に格納する（Ｓ１８）。
【００２９】
必要であるならば、ナビゲーター１４は、前記のような過程を通してコンテンツ提供サーバーから伝送受信されるファイルが、ルートディレクトリに既に記録されたファイルのバージョンより最新バージョンであるかを確認し、最新バージョンの場合にのみ前の作動を実施する。
【００３０】
また、ナビゲーター１４は、‘ＥｎＤＶＤ．Ｉｎｆ’ファイルに記録されたコンテンツバージョン情報をディスクバージョン情報と一緒にコンテンツ提供サーバーに伝送することによって、そのコンテンツバージョンより最新のコンテンツバージョンに対するセットアップファイルと同期ファイルが、コンテンツ提供サーバーに存在する場合に限って、そのファイルをダウンロードさせるようにしてもよい。
【００３１】
以後、ナビゲーター１４は、現在モードが‘クッキー’モードであるかどうかを確認する（Ｓ１８−１）。クッキーモードならば、コンテンツ提供サーバーにディスクのバージョンと関連した最新コンテンツを収録しているコンテンツファイルを伝送要請してファイルの全内容をダウンロードしてストレージ１５に格納する（Ｓ２１）。クッキーモードはユーザーによって再生オプションで設定されたりまたは対話形光ディスクの特定ファイル、例えば、ＥｎＤＶＤ．Ｉｎｆファイルの変数によって定義することができる。
【００３２】
コンテンツファイルは前述したように、hｔｍｌファイル、イメージファイル、及び／またはサウンドファイルなどを含むので大容量の場合が多い。したがって、これらをインターネットを通して伝送するには比較的長時間必要である。したがって、これらのデータを、ディスクのＡ／Ｖデータの再生中に同期出力される部分をリアルタイムで受信して一緒にプレゼンテーションする場合、所望するコンテンツ部分が伝送遅延されることによってＡ／Ｖと一緒に同期出力されない確率が高い。
【００３３】
クッキーモードはこのような可能性を排除するためのモードであって、クッキーモードでは前述したように、Ａ／Ｖデータと同期出力される最新バージョンのコンテンツファイルを再生前にすべて受信して格納して置いたり、必須的なコンテンツの大部分を受信して格納しておく。後者の場合、残りのコンテンツに対しては再生中に、同期出力させるのに十分な時間前に要請して受信することによって、Ａ／Ｖデータと同期させて出力することができる。
【００３４】
以後、ナビゲーター１４は、ユーザーの要請によって、対話形ＤＶＤに記録されたデジタルＡ／Ｖデータストリームを映像及びオーディオ信号でデコーディング出力する一連の再生作動を実施するが（Ｓ１９）、このとき、新しく受信された‘Ｉｎｄｅｘ．ｓｙｎ’ファイルに記録された時間情報に基づいて、現在再生されるビデオ及びオーディオデータ、そして、クッキーモードによって予め受信して格納しておいたコンテンツファイル内の連関情報を相互同期させてプレゼンテーションする再生動作を実施する（Ｓ２０）。
【００３５】
前の説明では、最新バージョンのコンテンツ関連ファイルをユーザーのインターネット要請時に受信したが、ユーザーの要請がなくても自動的に実施するようにしてもよい。すなわち、システム環境設定が終了された後（Ｓ１４）、ＥｎＤＶＤ．ＩｎｆファイルのＵＲＬ情報を参照して、そのサーバーと接続要請して予め定めた所定時間内に接続されないとＳ１６のステップを実施して、接続されれば前述した最新バージョンのファイルダウンロード及びこれに基づいた再生動作（Ｓ１７〜Ｓ２1）を実施するようにしてもよい。
【００３６】
一方、Ａ／Ｖデータが出力されるディスプレー画面は、前の‘Ｉｎｄｅｘ．hｔｍｌ’による設定によって決定することができるが、この設定は、ユーザーの要請によって多様に選択指定することができる。例えば図４に示したように、ユーザーが‘ビューモード’を‘再生器ビューモード’に選択指定する場合、一般的なＤＶＤプレーヤーにおける再生画面（４０１）を出力する。一方、ユーザーが‘ビューモード’を‘コンテンツビューモード’に選択指定すると、ユーザー選択メニューを備えた画面（４０２）を出力する。この出力画面を通してユーザーがインターネットの接続を要請するようにしてもよい。
【００３７】
そして、コンテンツビューモードでユーザーが‘全体スクリーンモード’を選択指定する場合、対話形ＤＶＤから読み出して再生されるピクチャデータが全画面（４０３）を使用して表示され、ユーザーが‘エンハンストモード’を選択指定する場合には、対話形ＤＶＤから読み出して再生されるピクチャデータと、コンテンツ情報が一緒に画面上に分割されて表示（４０４）される。
【００３８】
以下本発明実施例を具体的に説明する。
装置内に装着した光ディスクが対話形光ディスクであるかどうかを判別する１段階と、通信網を通して、コンテンツ提供サーバーから対話形光ディスクのバージョンで収容することができる最新バージョンのコンテンツファイルとそのファイルに関連したファイルを受信する２段階と、受信されたファイルを利用して、対話形光ディスクから読み出して再生されるオーディオまたはビデオデータと、受信されたコンテンツファイルの情報を相互同期させてプレゼンテーションする３段階とを含んでいる。
１段階は、対話形光ディスクに収録されたファイルの情報を参照して対話形ディスク再生に必要なシステム環境を設定する過程をさらに実行する。
２段階で受信されるコンテンツファイルに関連されたファイルは、対話形光ディスクの再生に必要なシステム設定情報を含む第１ファイルと、対話形光ディスクに収録されているビデオ及びオーディオ、そしてコンテンツを相互同期させるための時間情報を有する第２ファイルを含む、
【００３９】
３段階は、第１ファイルに記録された情報を参照して、ビデオ／オーディオ／コンテンツの表示形態を含む、データ再生のためのシステム環境を再設定する過程をさらに実行する。
コンテンツファイルは、対話形光ディスクに収録されたオーディオまたはビデオデータの再生前に、コンテンツ提供サーバーから受信完了される。
【００４０】
１段階は、ディスクのバージョンと、コンテンツのバージョン、そして特定コンテンツ提供サーバーに対するＵＲＬ情報を含めて記録された情報ファイルが光ディスクに記録されている場合、対話形光ディスクと判別する。
２段階は、情報ファイルに記録されている住所情報を参照して、コンテンツ提供サーバーと連結した後、情報ファイルに記録されたディスクバージョンを読み出して伝送して、それによって特定コンテンツ提供サーバーから最新コンテンツファイル及びそのファイルに関連したファイルを受信する。
【００４１】
３段階は、コンテンツ提供サーバーから受信されるファイルが、対話形光ディスクに記録された対応ファイルより最新バージョンの場合、受信されたファイルを利用する。
３段階は、コンテンツ情報と、オーディオまたはビデオデータを、ユーザー選択によって一緒に出力したり、またはいずれか一つのみを選択出力する。
【００４２】
コンテンツファイルは、hｔｍｌフォーマットのファイル、サウンドファイル、またはイメージファイルで構成される。
３段階は、再生されるオーディオまたはビデオデータと同期させてプレゼンテーションするコンテンツが受信されたコンテンツファイルにない場合には、コンテンツ提供サーバーに要請して、ビデオ／オーディオデータと同期させて出力される時点より前に受信される。
【００４３】
以上、前述した本発明の望ましい実施形態は、例示の目的のために開示されたものであって、当業者ならば添付された特許請求範囲に開示された本発明の技術的思想とその技術的範囲内で、多様な他の実施形態を改良、変更、代替または付加などが可能である。
【図面の簡単な説明】
【００４４】
【図１】本発明による通信網を利用した対話形光ディスク再生方法が適用される光ディスク装置に対する構成を図示したものである。
【図２】本発明による再生方法のための対話形ＤＶＤのディレクトリ構造を概略的に図示したものである。
【図３】本発明による通信網を利用した対話形光ディスク再生方法に対する作動流れ図を示したものである。
【図４】本発明による通信網を利用した対話形光ディスク再生方法で選択されるディスプレー画面の例を図示したものである。
【符号の説明】
【００４５】
１０…対話形ＤＶＤ、１１…ファイルシステム、１２…ウェブブラウザ、１３…インターネットインタフェース、１４…ナビゲーター、１５…ストレージ、１６…デコーダ、１７…プレゼンテーションエンジン。
【図１】
2006340378.tif 000003
【図２】
2006340378.tif 000004
【図３】
2006340378.tif 000005
【図４】
2006340378.tif 000006